(57)【要約】【課題】光源の発光による消費電力をより削減することを課題とする。【解決手段】表示装置１は、照射範囲が重複する複数の光源２と、画像表示領域３と、補正部４と、制御部５とを有する。補正部４は、表示対象画像の輝度分布と、複数の光源２を所定の発光強度にて発光させたときの合成発光分布との間隔を広げるように、輝度分布または合成発光分布を補正する補正する。制御部５は、補正部４により補正された輝度分布または合成発光分布に基づいて、複数の光源１の発光強度をそれぞれ制御する。【選択図】図１
2011117996.tif 000002
【特許請求の範囲】
【請求項１】
画素を複数の光源で照射する表示装置において、
表示対象画像の輝度分布と、前記複数の光源を所定の発光強度にて発光させたときの発光分布との間隔を広げるように、当該輝度分布または当該発光分布を補正する補正部と、
前記補正部により補正された前記輝度分布または前記発光分布に基づいて、前記複数の光源の発光量をそれぞれ制御する制御部と
を有することを特徴とする表示装置。
【請求項２】
周囲環境の照度を取得する取得部をさらに有し、
前記補正部は、前記取得部が取得した結果に基づいて、前記発光分布との間隔を広げるように前記表示対象画像の輝度を低下させた補正輝度分布を算出し、
前記制御部は、前記補正部により算出された補正輝度分布に基づいて前記複数の光源それぞれの発光量を制御することを特徴とする請求項１に記載の表示装置。
【請求項３】
前記取得部は、前記照度に変えて、前記発光量の減量を命じる命令を取得することを特徴とする請求項２記載の表示装置。
【請求項４】
前記補正部は、
前記取得部が取得した結果に基づいて、前記低下させる量である調節量を算出するとともに、該調節量に基づいて前記補正輝度を算出することを特徴とする請求項２または請求項３に記載の表示装置。
【請求項５】
前記補正部は、
前記表示対象画像における最大輝度に基づいて、前記低下させる量である調整量を算出するとともに、該調節量に基づいて前記補正輝度を算出することを特徴とする請求項２または請求項３に記載の表示装置。
【請求項６】
周囲環境の照度を取得する取得部をさらに有し、
前記補正部は、前記取得部により取得された結果に応じて、前記輝度分布との間隔を広げるように前記発光分布により供給される輝度を上昇させた補正分布を算出し、
前記制御部は、前記補正部により算出された補正分布に基づいて前記複数の光源それぞれの発光量を制御することを特徴とする請求項１に記載の表示装置。
【請求項７】
前記取得部は、前記照度に変えて、前記発光量の減量を命じる命令を取得することを特徴とする請求項６記載の表示装置。
【発明の詳細な説明】
【技術分野】
【０００１】
この発明は、表示装置に関する。
【背景技術】
【０００２】
従来、透過型液晶表示装置など、光の透過状態を変更可能な液晶パネルと、液晶パネルの裏面に光を供給するバックライトとを有する表示装置が存在する。例えば、この表示装置について、装置の周囲が暗い場合に、バックライトである光源の発光量を減じる技術として、以下のような従来技術が提案されている。
【０００３】
例えば、特許文献１には、照射領域が独立である複数の光源を有し、表示画像の輝度に基づいて各光源の発光量を独立に調節する表示装置が開示されている。そして、このような表示装置に対して、照度センサから受付けた周囲環境の照度に基づいて各光源の発光量を一律に低下させる技術も存在する。このようにして、この表示装置は、複数の光源が発光することによる消費電力を削減できる。
【先行技術文献】
【特許文献】
【０００４】
【特許文献１】特開２００６−１４７５７３号公報
【発明の概要】
【発明が解決しようとする課題】
【０００５】
しかしながら、上述した従来技術によって削減可能な電力には限界があるという問題があった。例えば、周囲環境の照度に基づいて各光源の発光量を下げる単純な制御を行うだけなので、光源の発光による消費電力の削減についてある一定の消費電力の削減をすることはできる。しかし、それ以上の削減効果は望み得ない。
【０００６】
開示の技術は、上記に鑑みてなされたものであって、表示装置において、複数の光源が発光することによる消費電力をより削減することができる表示装置を提供することを目的とする。
【課題を解決するための手段】
【０００７】
本願の開示する技術は、一つの態様において、複数の光源で画素を照射する表示装置において、表示対象画像の輝度分布と、前記複数の光源を所定の発光強度にて発光させたときの発光分布との間隔を広げるように、当該輝度分布または当該発光分布を補正する補正部と、前記補正部により補正された前記輝度分布または前記発光分布に基づいて、前記複数の光源の発光量をそれぞれ制御する制御部とを有する。
【発明の効果】
【０００８】
本願の開示する技術の一つの態様によれば、表示装置のバックライトである光源の発光による消費電力をより削減できる。
【図面の簡単な説明】
【０００９】
【図１】図１は、実施例１に係る表示装置を示す図である。
【図２】図２は、実施例１に係る輝度分布と合成発光分布との関係を示す図である。
【図３】図３は、実施例２に係る表示装置の構成を示す図である。
【図４】図４は、各光源の発光パターンの一例を示す図である。
【図５】図５は、縮小画像の領域分割の一例を示す図である。
【図６】図６は、ライン情報の生成例を説明するための図である。
【図７】図７は、実施例２に係る輝度分布パターンと合成発光パターンの比較例を示す図である。
【図８】図８は、実施例２に係る下げ幅算出処理を説明する図である。
【図９】図９は、実施例２に係る下げ幅算出処理を説明する図である。
【図１０】図１０は、実施例２に係る表示装置による処理の流れを示す図である。
【図１１】図１１は、実施例２に係る表示装置による処理の流れを示す図である。
【図１２】図１２は、実施例２に係る表示装置による処理の流れを示す図である。
【図１３】図１３は、最も光量が不足している部分に最も近い光源選択を行うための領域分割の一例を示す図である。
【図１４】図１４は、表示制御処理を実行するコンピュータの一例を示す図である。
【発明を実施するための形態】
【００１０】
以下に、図面を参照しつつ、本願の開示する表示制御装置の一実施形態について詳細に説明する。なお、表示制御装置の一実施形態として後述する以下の実施例により、本願が開示する技術が限定されるものではない。
【実施例１】
【００１１】
図１は、実施例１に係る表示装置を示す図である。同図に示すように、実施例１に係る表示装置１は、照射範囲が重複する複数の光源２と、画像表示領域３と、補正部４と、制御部５とを有する。
【００１２】
補正部４は、表示対象画像の輝度分布と、複数の光源２を所定の光源強度にて発光させたときの合成発光分布との間隔を広げるように、輝度分布または合成発光分布を補正する。なお、上述の発光量は発光強度に相当するものとして、以下説明する。輝度分布または発光分布を補正する補正する。尚、所定の発光強度とは、たとえば最大の発光強度などである。
【００１３】
図２は、実施例１に係る輝度分布と合成発光分布との関係を示す図である。同図の横軸Ｘは、画像表示領域３において、複数の光源２の配列方向に平行な水平方向の所定位置を示す。同図の縦軸Ｙは前述の所定位置における輝度を示す。また、同図に示すａは、前述の所定位置における表示対象画像の輝度分布を表す。なお、輝度分布は、表示対象の画像が要求する輝度の分布である。また、同図に示すｂは、前述の所定位置における複数の光源２による合成発光分布を表す。なお、合成発光分布は、各光源２により供給される光の発光分布を合成した分布である。そして、同図に示すように、補正部４は、同図ａに示す輝度分布と、同図ｂに示す合成発光分布との間隔を広げるように輝度分布または合成発光分布を補正する。ここで、間隔とは図２のａとｂとの差に相当する。図２では、間隔をａとｂとの間にある矢印でイメージ的に説明している。
【００１４】
制御部５は、補正部４により補正された輝度分布または合成発光分布に基づいて、複数の光源１の発光強度をそれぞれ制御する。
【００１５】
実施例１に係る表示装置１は、表示対象画像の輝度分布と、複数の光源１による合成発光分布との間隔をいったん広げるように輝度分布または合成発光分布を補正する。そして、表示装置１は、いったん余裕を設けた後に、複数の光源２の発光強度をそれぞれ制御する。複数の光源１による合成発光分布との間隔を広げる方法としては、例えば、表示対象画像の輝度分布ａを低下させることや、複数の光源による合成発光分布ｂを上昇させることが考えられる。詳細は、後述する。
【００１６】
ここで、光源の発光による消費電力をより削減できるという効果について述べる。本実施例における表示装置１は、照射領域が重複する複数の光源を有している。つまり、表示装置１において、画像表示領域３上の１つの画素は複数の光源から照射される。よって、複数の光源の照射された光を利用しながら１つの画素の輝度をまかなうので、各光源から発光された光が効率的に利用される。つまり、いったん設けられた余裕によって生じる消費電力の削減についても、本実施例において発光強度を減じることができる光源は、従来の１つから２以上の光源へと拡大する。したがって、本実施例における表示装置１はより大きな消費電力の削減を達成できる。
【実施例２】
【００１７】
図３は、実施例２に係る表示装置の構成を示す図である。同図に示すように、表示装置２００は、光制御部２１０と、光源２２０ａ〜２２０ｎと、ドライバ２３０ａ〜２３０ｎと、表示制御装置２４０と、記憶部２５０とを有する。
【００１８】
例えば、記憶部２５０は、ＲＡＭ（Random Access Memory)、ＲＯＭ（Read Only Memory)、フラッシュメモリ(flash memory)などの半導体メモリ素子、または、ハードディスク、光ディスクなどの記憶装置である。また、表示制御装置２４０は、例えば、ＡＳＩＣ（Application Specific Integrated Circuit）やＦＰＧＡ (Field Programmable Gate Array)などの集積回路、ＣＰＵ（Central Processing Unit）やＭＰＵ（Micro Processing Unit）などの電子回路である。
【００１９】
光制御部２１０は、例えば、液晶パネルであり、画素ごとに光の透過率を変化させる。光源２２０ａ〜２２０ｎは、例えば、ＬＥＤ（Light Emitting Diode）であり、光制御部２１０に対して光を供給する。光源２２０ａ〜２２０ｎは、例えば、図３に示す光制御部２１０の辺の一つに沿って一列に配置される。ここで、光制御部２１０の辺の一つとは、図３に示す光制御部２１０の水平方向の下側の辺をさす。光源２２０ａ〜２２０ｎを一列に配置することで、複数の光源が発光している時に、光制御部２１０の全面に渡って概ね一様な輝度を得ることができる。さらには光源２２０の数や配置方法は、部品コストなどに応じて適宜変更可能である。なお、光源２２０の数が１２個である場合には、光源２２０ａ〜２２０ｌまで存在することとなる。
【００２０】
記憶部２５０は、光源２２０から様々な強度の光が光制御部２１０に照射された場合に、光制御部２１０上に形成される発光パターンに関する発光パターンデータ２５０ａを記憶する。記憶部２５０は、例えば、ある光源２２０を１００％の強度で点灯させた場合に、光制御部２１０の各点にどれだけの輝度の光が供給されるかを示す情報を、それぞれの位置に配置された光源２２０毎の発光パターンデータ２５０ａとして記憶する。
【００２１】
ここで、発光パターンとは、光源２２０から光制御部２１０に光が照射された場合に、光制御部２１０上に形成される光の分布を意味する。図４は、各光源の発光パターンの一例を示す図である。
【００２２】
例えば、光源２２０ａから光制御部２１０に光が照射された場合には、図４に示す発光パターンａのようなパターンが形成される。この発光パターンａは、光源２２０ａにより光制御部２１０に供給される光の分布を示し、光源２２０ａと光制御部２１０との距離が最も近い同図の左下隅が最も明るく、同図右下隅が最も暗い光の分布となる。なお、発光パターンａを滑らかな曲線で表現すると、光源２２０ａの位置に対応する同図左下隅が曲線の盛り上がりが鋭い発光パターンとなる。この鋭い発光パターンは、例えばシャープな発光パターンと称される。また、光源２２０ａから離れるに従って曲線の盛り上がりが緩やかな発光パターンとなる。この緩やかな発光パターンは、例えばブロードな発光パターンと称される。
【００２３】
また、光源２２０ｂから光制御部２１０に光が照射された場合には、同図に示す発光パターンｂのようなパターンが形成される。この発光パターンｂは、光源２２０ｂにより光制御部２１０に供給される光の分布を示し、光源２２０ｂと光制御部２１０との距離が最も近い同図の左下隅からやや内側が最も明るく、同図右下隅が最も暗い分布である。なお、発光パターンｂを滑らかな曲線で表現すると、光源２２０ｂの位置に対応する同図左下隅からやや内側が曲線の盛り上がりが鋭いシャープな発光パターンとなり、光源２２０ｂから離れるに従って曲線の盛り上がりが滑らかなブロードな発光パターンとなる。
【００２４】
光源２２０ｎから光制御部２１０に光が照射された場合には、同図に示す発光パターンｎのようなパターンが形成される。この発光パターンｎは、光源２２０ｂにより光制御部２１０に供給される光の分布を示し、光源２２０ｎと光制御部２１０との距離が最も近い同図の右下隅が最も明るく、同図左下隅からやや上側が最も暗い分布である。なお、発光パターンｎを滑らかな曲線で表現すると、光源２２０ｎの位置に対応する同図右下隅が曲線の盛り上がりが鋭いシャープな発光パターンとなり、光源２２０ｎから離れるに従って曲線の盛り上がりが滑らかなブロードな発光パターンとなる。
【００２５】
記憶部２５０は、発光パターンａや発光パターンｂなどについて、例えば、発光パターンを滑らかな曲線で表現したモデルを作成するための発光パターンデータ２５０ａを記憶する。例えば、それぞれの光源２２０が所定の発光強度で発光している場合に、光制御部２１０に供給される光の強度は、それぞれの光源毎の所定の発光強度における発光パターンを単純に重ね合わせた発光パターンとなる。よって、記憶部２５０は、例えば、光源２２０から供給される光の強度を、光制御部２１０の各点で加算したデータを各発光パターンデータ２５０ａとして記憶する。
【００２６】
なお、記憶部２５０は、１２個全ての光源２２０を１００％で発光させたときの値が「１」となるように、光制御部２１０上の各点ごとに正規化された値を発光パターンデータ２５０ａとして記憶することもできる。これにより、後の処理負荷を低減させる。
【００２７】
図３の説明に戻り、ドライバ２３０ａ〜２３０ｎは、それぞれ、表示制御装置２４０から指示された制御量に基づいて、光源２２０ａ〜２２０ｎを駆動する。なお、同図では、光源２２０とドライバ２３０が１対１で設けられているが、複数の光源２２０に対して１つのドライバ２３０を設けるようにしてもよい。
【００２８】
表示制御装置２４０は、光制御部２１０およびドライバ２３０ａ〜２３０ｎを制御する。表示制御装置２４０は、フレームメモリ２４１、縮小画像生成部２４２、調光量演算部２４３、発光強度制御部２４４、画像補正部２４５、透過率制御部２４６を有する。
【００２９】
フレームメモリ２４１は、表示対象画像を入力し、入力した画像を記憶する。例えば、入力画像のサイズを縦７２０×横４８０とする。
【００３０】
縮小画像生成部２４２は、フレームメモリ２４１に記憶されている入力画像を読み込む。そして、縮小画像生成部２４２は、読み込んだ入力画像の縮小画像を生成する。なお、縮小画像生成部２４２は、後述する調光量演算部２４３による処理時間を軽減することを目的として縮小画像を生成する。
【００３１】
縮小画像生成部２４２は、入力画像の画素に割当てられたＲＧＢ（Red  Green  Blue）値を参照し、Ｒ、Ｇ、Ｂ値の中の最大値を求める。そして、縮小画像生成部２４２は、求めたＲ、Ｇ、Ｂ値の中の最大値を、該当画素の画素値として設定する。例えば、第１の画素に割当てられたＲＧＢ値がそれぞれ２５０、１００、５０の場合には、最大値は「２５０」である。よって、縮小画像生成部２４２は、第１の画素の画素値を２５０に設定する。このようにして、縮小画像生成部２４２は、入力画像に含まれる画素毎に１つの画素値を設定する。
【００３２】
続いて、縮小画像生成部２４２は、例えば、サイズが縦７２０×横４８０の入力画像から、８ラインに１ラインを読み込み、８画素に１画素を読み込む間引きを行うことで、サイズ９０×６０の縮小画像を生成する。縮小画像の各画素には、それぞれ上述した画素値が設定されている。なお、縮小画像生成部２４２は、バイリニア等他の方式を利用して縮小画像を生成してもよい。
【００３３】
照度計測部２６０は、表示装置の周囲の照度を計測し、計測値を後述する調光量演算部２４３に出力する。照度計測部２６０は、例えば、照度センサなどを有する。
【００３４】
調光量演算部２４３は、記憶部２５０に記憶されている発光パターンデータ２５０ａおよび縮小画像のデータに基づいて各光源２２０の発光強度を調整する。
【００３５】
まず、調光量演算部２４３は、表示対象として入力した入力画像について、各光源２２０の発光強度の初期値を設定する。例えば、調光量演算部２４３は、前回表示された入力画像に対して決定した各光源２２０の発光強度を、次に入力された入力画像に対する各光源２２０の初期値とする。一般に、前後して入力される入力画像は類似することが多いので、このように前回の調整結果を初期値とすることにより、調光量演算部２４３は、各光源の発光強度の設定調整を早く完了できる。また、前回と同様の調整結果となることが期待されるため、入力画像ごとに調整内容が変動して、光制御部２１０での表示にフリッカ等が発生することを防止することができる。入力画像が一番目の画像である場合には、予め設定した発光強度を初期値とする。例えば、発光強度１００％を初期値とする。
【００３６】
続いて、調光量演算部２４３は、縮小画像生成部２４２により生成された縮小画像を、各光源２２０の光の照射方向と垂直な直線によって複数ラインを含む領域に分割する。なお、複数の領域に分割し、後述のように各光源の発光強度設定のための処理を行うと、計算回数を減じることができる。しかし、本実施例はこれに限らず、領域に分割せずに、一ラインずつ発光強度の設定のための処理を行うこととしても良い。例えば、図５に示すように、調光量演算部２４３は、縮小画像を、光源２２０から遠ざかるにしたがって広くなる領域４０ａ、４０ｂ、４０ｃおよび４０ｄに分割する。図５は、縮小画像の領域分割の一例を示す図である。なお、各光源２２０の光の照射方向は、縮小画像に対応する入力画像が光制御部２１０上に表示されている場合に、光源２２０の光が入射する方向を意味する。
【００３７】
次に、調光量演算部２４３は、複数に分割された縮小画像の各領域についてライン情報を生成する。まず、調光量演算部２４３は、光源２２０の配列方向と垂直な方向に配列された複数の画素を有する画素列について、各画素の画素値を比較する。続いて、調光量演算部２４３は、各画素の中から最大画素値を抽出し、抽出した最大画素値を該当画素列の画素の画素値として設定する。調光量演算部２４３は、各領域に含まれる全ての画素列について、この画素値の設定を行うことによりライン情報を生成する。なお、領域の分割を行わない場合には、ライン情報は、各ラインに配置した画素の画素値そのものとなる。
【００３８】
図６は、ライン情報の生成例を説明する図である。同図は、縮小画像の領域４０ｃについてライン情報を生成する場合を示す。同図に示すように、例えば、調光量演算部２４３は、光源２２０の配列方向と垂直な方向に配列された領域４０ｃの各画素列について、各画素の画素値を比較する。そして、調光量演算部２４３は、各画素の中から最大画素値を抽出し、抽出した最大画素値を該当画素列の画素値として設定する。調光量演算部２４３は、領域４０ｃに含まれる全ての画素列について画素値の設定を行うことにより、領域４０ｃのライン情報を生成する。
【００３９】
次に、調光量演算部２４３は、縮小画像の各領域の中から、光源２２０に最も近い一番下の領域４０ａについてのライン情報を取得して、以降の処理を実行する。なお、領域４０ａについては図５を用いて上述した。例えば、取得したライン情報は、縮小画像のサイズが９０×６０である場合には、６０の画素の画素値を有する。
【００４０】
縮小画像の一番下の領域４０ａについてのライン情報を取得して、以降の処理を実行する理由を簡単に説明する。各光源２２０と光制御部２１０との距離が近いほど、各光源２２０の発光パターンがシャープである。各光源２２０と光制御部２１０との距離が離れるほど、各光源２２０の発光パターンがブロードである。各光源２２０の発光パターンがブロードの場合には、いずれかの光源２２０の発光強度を抑えても、各光源２２０の合成発光パターンは余り変化しない。一方、各光源２２０の発光パターンがシャープである場合には、いずれかの光源２２０の発光量を抑えると、各光源２２０の合成発光パターンは大きく変化する。よって、縮小画像の一番下の領域４０ａについてのライン情報を取得するのは、発光強度の調整による影響が大きい箇所、すなわち、発光パターンがシャープである画像の一番下側から優先的に処理すべきであるからである。
【００４１】
ライン情報の取得後、調光量演算部２４３は、取得したライン情報が有する各画素の画素値を輝度相当値に換算する。そして、調光量演算部２４３は、照度計測部２６０から入力した照度に応じて輝度相当値を補正する。
【００４２】
例えば、調光量演算部２４３は、照度に応じて表示対象画像の輝度を低減させる低減率を示す変数Ｗを設定し、この変数Ｗを用いて輝度相当値を補正する。調光量演算部２４３は、照度の値が小さければ小さいほど（周囲が暗いほど）、表示対象画像の輝度をより低減させるように変数Ｗの値を設定する。調光量演算部２４３は、以下の数式（１）を用いて輝度相当値を導出する。
輝度相当値＝（画素値／画素最大値）＾２．２・・・（１）
なお、輝度∝（画素値＾２．２）という比例関係を前提とする。また、画素最大値は、例えば、８ビットの画像であれば２５５となる。
【００４３】
そして、調光量演算部２４３は、数式（１）で導出した輝度相当値を、以下の数式（２）に代入して補正輝度相当値を算出する。以上の処理によって、輝度相当値を低減率Ｗに応じて、低減した補正輝度相当値を得ることができる。
補正輝度相当値＝輝度相当値×Ｗ・・・（２）
【００４４】
補正輝度相当値を算出した後、調光量演算部２４３は、補正輝度相当値を光源２２０の配列方向に走査して輝度分布パターンを算出する。図７は、実施例２に係る輝度分布パターンと合成発光パターンとの比較例を示す図である。調光量演算部２４３は、光源２２０の配列方向に走査することにより補正輝度相当値を取得する。そして、調光量演算部２４３は、取得した補正輝度相当値を滑らかな曲線で結ぶことにより、例えば、同図のＣに示すような輝度分布パターンを算出する。
【００４５】
次に、調光量演算部２４３は、記憶部２５０に記憶されている各発光パターンデータ２５０ａを取り込んで、各光源２２０の発光パターンを合成した合成発光パターンを算出する。調光量演算部２４３は、記憶部２５０に記憶されている発光パターンデータａの中から、所定の強度で発光したときの各光源２２０の発光パターンデータを取り込む。例えば、図７に示すように、調光量演算部２４３は、各光源２２０の発光パターンデータを元に発光パターンｄ１、ｄ２、ｄ３、ｄ４、・・・を算出する。各光源２２０の発光パターンを算出した後、調光量演算部２４３は、光制御部２１０上の各点で、各光源２２０の発光パターンの輝度を加重加算する。そして、調光量演算部２４３は、加重加算された値を滑らかな結んだ曲線を生成することにより、例えば、同図のＤで示されるような各光源２２０の合成発光パターンを算出する。
【００４６】
なお、調光量演算部２４３は、各光源の発光強度の初期値を１００％に設定した場合には、各光源２２０の発光強度が１００％であるときの各光源２２０の発光パターンデータａを記憶部２５０から取り込んで合成発光パターンを算出する。
【００４７】
そして、調光量演算部２４３は、算出した合成発光パターンを、ライン情報のサイズに合わせて、例えば、６０画素相当の合成発光パターンに換算する。そして、調光量演算部２４３は、例えば、図７に示すように、輝度分布パターンと合成発光パターンとを比較する。ここで、輝度分布パターンとの比較を行う合成発光パターンは、ライン情報に対応する光制御部２１０の各点で、各光源２２０から供給される光の強度を加算し、加算した強度を滑らかに結んだ曲線で表現される合成発光パターンを６０画素相当に換算したパターンである。図７は、実施例２に係る輝度分布パターンと合成発光パターンの比較例を示す図である。
【００４８】
そして、調光量演算部２４３は、比較の結果、合成発光パターンが輝度分布パターンを総じて上回っている場合（光量が充足している場合）には、各光源２２０の中から、最も発光強度を下げることが可能な光源２２０を探索する下げ幅調整処理を実行する。
【００４９】
なお、下げ幅調整処理は、縮小画像の各領域の中で、光源２２０に最も近い一番下の領域のライン情報についてのみ実行される。その理由は、一番下の領域以外の領域から生成したライン情報で下げ幅を調整すると、一番下の領域に対応する表示対象画像内の領域において、画像を表示させるための光量が不足する恐れがあるからである。
【００５０】
一方、調光量演算部２４３は、合成発光パターンが輝度分布パターンを下回っている部分がある場合（光量不足の部分がある場合）には、光源の発光強度を上げる上げ幅調整処理を実行する。以下、下げ幅調整処理および上げ幅調整処理を順に説明する。
【００５１】
［下げ幅調整処理］
図８および図９は、実施例２に係る下げ幅調整処理を説明する図である。まず、図８および図９を用いて、下げ幅調整処理の大まかな概要を説明する。図８に示すように、調光量演算部２４３は、光源２２０ａを選択して、合成発光パターンが輝度分布パターンを上回る範囲で、光源２２０ａの発光強度を下げることが可能な最大の下げ幅を算出する。
【００５２】
例えば、調光量演算部２４３は、光源２２０ａの発光強度２２０ａを１０％下げた時の合成発光パターンを算出し、算出した合成発光パターンと輝度分布パターンとを比較する。そして、調光量演算部２４３は、合成発光パターンと輝度分布パターンとの間に余裕がある場合には、光源２２０ａの発光強度を５％下げた時の合成発光パターンを算出し、算出した合成発光パターンと輝度分布パターンとを比較する。ここで、合成発光パターンと輝度分布パターンとの間に余裕がある場合とは、例えば、合成発光パターンが輝度分布パターンを上回っており、光源２２０ａの発光強度にまだ下げる余地があることを意味する。このようにして、調光量演算部２４３は、光源２２０ａの発光強度を少しずつ下げていき、合成発光パターンが輝度分布パターンを上回る範囲で、光源２２０ａの発光強度を下げることが可能な最大の下げ幅を算出する。
【００５３】
なお、調光量演算部２４３は、光源２２０ａの発光強度の調整が不可能である場合、つまり光源２２０ａの発光強度を下げると合成発光パターンが輝度分布パターンを下回ってしまう部分がある場合には、調光量演算部２４３は、余裕度の算出を行わない。そして、次の光源２２０ｂについての最大の下げ幅算出に移る。以上の処理を繰り返す。なお、余裕度とは、ある光源２２０の発光強度を下げた場合に、他の光源２２０それぞれが下げられる発光強度の度合いを示す。
【００５４】
一方、光源２２０ａの調整が可能であった場合、つまり光源２２０ａの発光強度の最大の下げ幅を算出できた場合について説明する。調光量演算部２４３は、図８に示すように、算出した最大の下げ幅に応じて光源２２０ａの発光強度を下げた後の合成発光パターンｂ１を作成する。続いて、調光量演算部２４３は、例えば、図８に示す合成発光パターンｂ１と、図８に示す輝度分布パターンａと比較し、光源２２０ｂから光源２２０nの発光強度をどれくらい下げることができる余裕があるかを算出する。つまり、調光量演算部２４３は、余裕度を算出する。
【００５５】
なお、調光量演算部２４３は、発光強度を下げる量として、例えば、最大２０％のような制限を設定してもよい。光量を大きく減少させると、前後して表示される画像の明るさのばらつきが大きくなり、フリッカ等の不具合が生じることがあるからである。 
【００５６】
例えば、図８の上下方向のブロック矢印で示すように、調光量演算部２４３は、光源２２０ｂ〜２２０ｎの設置位置に対応する領域で、合成発光パターンｂ１と輝度分布パターンａとの差を算出する。つまり、調光量演算部２４３は、光源２２０ｂ〜２２０ｎの設置位置に対応する領域で、合成発光パターンから供給される輝度と、輝度分布パターンにより要求される輝度との差をそれぞれ算出する。そして、調光量演算部２４３は、光源２２０ごとに算出した各下げ幅を合算することにより余裕度を算出する。
【００５７】
光源２２０ａの発光強度を下げた時の余裕度の算出を完了すると、同様に、光源２２０ｂについて同様の処理を実行する。例えば、図９に示すように、合成発光パターンｂが輝度分布パターンａを上回る範囲で、光源２２０ｂの発光強度を下げることが可能な最大の下げ幅を算出する。
【００５８】
なお、調光量演算部２４３は、光源２２０ｂの発光強度の調整が不可能である場合、つまり光源２２０ｂの発光強度を下げると合成発光パターンが輝度分布パターンを下回ってしまう部分がある場合には、調光量演算部２４３は、余裕度の算出を行わない。そして、次の光源２２０ｃについての最大の下げ幅算出に移る。
【００５９】
光源２２０ｂの調整が可能であった場合、つまり光源２２０ｂの発光強度の最大の下げ幅を算出できた場合には、調光量演算部２４３は、図９に示すように、算出した最大の下げ幅に応じて光源２２０ｂの発光強度を下げた後の合成発光パターンｂ２を作成する。続いて、調光量演算部２４３は、合成発光パターンｂ２と輝度分布パターンａと比較し、各光源２２０の余裕度を算出する。
【００６０】
例えば、図９の上下方向のブロック矢印で示すように、光源２２０ａ、光源２２０ｃ〜２２０ｎの設置位置に対応する領域で、合成発光パターンｂ２と輝度分布パターンａとの差を算出する。つまり、調光量演算部２４３は、光源２２０ａ、光源２２０ｃ〜２２０ｎの設置位置に対応する領域で、合成発光パターンｂ２から供給される輝度と、輝度分布パターンａにより要求される輝度との差をそれぞれ算出する。そして、調光量演算部２４３は、光源２２０の設置位置に対応する領域で算出した各下げ幅を合算することにより、発光強度を下げられる度合いを示す余裕度を算出する。
【００６１】
調光量演算部２４３は、上述してきた光源２２０ａおよび光源２２０ｂの発光強度を下げた時の余裕度の算出を、残りの全ての光源２２０ｃ〜２２０ｎについて行う。
【００６２】
そして、調光量演算部２４３は、光源２２０ａから光源２２０ｎに対してそれぞれ算出した余裕度の中から余裕度が最大であった光源２２０を選択する。そして、調光量演算部２４３は、選択した光源２２０の発光強度を算出済みの下げ幅に応じて仮決定する。調光量演算部２４３は、発光強度が仮決定された光源２２０を選択対象外に設定する。そして、調光量演算部２４３は、選択対象外に設定した光源２２０が仮決定した発光強度で発光しているものとして、選択対象外とされていない残りの光源２２０について上述してきた処理を繰り返し実行する。このようにして、調光量演算部２４３は、余裕度が最大となる光源２２０を見つけ出すことで発光強度をできるだけ下げる。
【００６３】
一方、余裕度を算出できた光源２２０がなかった場合には、調光量演算部２４３は、下げ幅調整処理を終了する。なぜなら、余裕度が算出できた光源がないということは、発光強度を下げる調整が可能な光源がなかったことと同意であるからである。
【００６４】
調光量演算部２４３は、例えば、図８に示すように、光源２２０ａの発光強度を最大に下げた時に算出された余裕度が最大であったとする。この場合は、調光量演算部２４３は、光源２２０ａを選択する。光源２２０ａを選択後、調光量演算部２４３は、算出した最大の下げ幅に応じて光源２２０ａの発光強度を仮決定する。例えば、光源２２０ａの発光強度を下げることが可能な最大の下げ幅に応じて、光源２２０ａの発光強度を１９％下げることができる場合には、光源２２０ａの発光強度を１９％に仮決定する。
【００６５】
発光強度を仮決定した光源２２０ａを選択対象外に設定した後、調光量演算部２４３は、光源２２０ａが−１９％の発光強度で発光しているものとして、選択対象外とされていない残りの光源２２０ｂ〜２２０ｎについて上述してきた処理を実行する。つまり、選択対象である光源２２０が残されている場合には、選択対象の光源２２０の中から一つの光源２２０を選択し、上述した選択対象外に設定するまでの処理を実行する。一方、検索の結果、選択対象の光源２２０が残っていない場合には、調光量演算部２４３は下げ幅調整処理を終了する。
【００６６】
選択対象外とされていない残りの光源２２０ｂ〜２２０ｎについて上述してきた処理を実行した結果、例えば、光源２２０ｂの発光強度を最大に下げた時に算出された余裕度が最大であった場合には、つぎに、調光量演算部２４３は光源２２０ｂを選択する。光源２２０ｂを選択後、調光量演算部２４３は、算出した最大の下げ幅に応じて光源２２０ｂの発光強度を仮決定する。例えば、光源２２０ｂの発光強度を下げることが可能な最大の下げ幅に応じて、光源２２０ｂの発光強度を１５％下げることができる場合には、光源２２０ａの発光強度を１５％に仮決定する。
【００６７】
なお、輝度ムラ等が生じることを防止するため、隣接する光源２２０の発光強度の下げ幅の差が所定量以下になるように調整することとしてもよい。
【００６８】
発光強度を仮決定した光源２２０ｂを選択対象外に設定した後、調光量演算部２４３は、光源２２０ｂが−１５％の発光強度で発光しているものとして、選択対象外とされていない残りの光源２２０ｃ〜２２０ｎについて上述してきた処理を実行する。
【００６９】
［上げ幅調整処理］
次に、上げ幅調整処理について説明する。調光量演算部２４３は、合成発光パターンと輝度分布パターンとの比較の結果、最も光量が不足している部分を見つけ出す。そして、調光量演算部２４３は、その部分に最も近い光源２２０を調整対象の光源として選択する。
【００７０】
調光量演算部２４３は、調整対象として選択された光源２２０の発光強度を所定の強度に仮決定する。例えば、調光量演算部２４３は、発光強度を現在よりも５％高い強度に仮決定する。なお、調光量演算部２４３は、発光強度の高める仮決定量として、例えば、最大２０％のような制限値を設定してもよい。
【００７１】
調整対象として選択された光源２２０の発光強度を所定の強度に仮決定した後、調光量演算部２４３は、選択した光源２２０の発光強度を所定の強度に仮決定した場合の合成発光パターンを改めて算出する。
【００７２】
そして、調光量演算部２４３は、改めて算出した合成発光パターンと輝度分布パターンとを比較して、該当部分の光量不足が解消したかを判定する。ここで、該当部分とは、上述したように、合成発光パターンと輝度分布パターンとの比較の結果、最も光量が不足している部分を意味する。判定の結果、光量不足が解消している場合には、調光量演算部２４３は、合成発光パターンと輝度分布パターンとの比較結果の中から、最初に選択した部分以外で最も光量が不足している他の部分を見つけ出す。そして、光量が不足している他の部分がない場合には、調光量演算部２４３は、上げ幅調整処理を終了する。
【００７３】
一方、光量が不足している他の部分を見つけ出した場合には、調光量演算部２４３は、調整が可能な光源２２０が残っているか否かを判定する。判定の結果、調整可能な光源２２０が残っていない場合には、調光量演算部２４３は、上げ幅調整処理を終了する。
【００７４】
また、該当部分の光量不足が解消したかを判定した結果、光量不足が解消していない場合には、調光量演算部２４３は、発光強度を高める量が制限値に到達しているか否かを判定する。例えば、発光強度を高める量の制限値として発光強度の２０％を設定する。判定の結果、発光強度を高める量が制限値に到達していない場合には、調光量演算部２４３は、調整対象として選択された光源２２０の発光強度をさらに高めた発光強度を仮決定する。そして、上述したのと同様に、調光量演算部２４３は、合成発光パターンを改めて算出し、光量不足が解消されているか否かを判定する。
【００７５】
一方、発光強度を高める量が制限値に到達していない場合には、調光量演算部２４３は、調整対象として選択された光源２２０に隣接する光源２２０を新たな調整対象として選択する。例えば、光源Ａ〜Ｅが、Ａ、Ｂ、Ｃ、Ｄ、Ｅの順に並んでいると仮定すると、光源Ｃが調整対象として最初に選択された場合には、Ｂ→Ｄ→Ａ→Ｅ、もしくはＤ→Ｂ→Ｅ→Ａの順で他の光源を選択する。
【００７６】
そして、調光量演算部２４３は、新たな調整対象として選択した光源２２０が未選択であり、光源として選択可能であるか否かを判定する。判定の結果、新たな調整対象として選択した光源２２０が選択可能である場合は、調光量演算部２４３は、この新たな光源を調整対象として、上述した処理と同様の処理に移行する。つまり、調光量演算部２４３は、調整対象として新たに選択した光源２２０の発光強度を高めた後、発光強度と輝度分布パターンを比較して、該当部分の光量の不足が解消されたか否かを判定する。
【００７７】
一方、判定の結果、新たな調整対象として選択した光源２２０が選択可能でなかった場合には、上述した処理と同様に、合成発光パターンと輝度分布パターンとの比較の結果、最初に選択した部分以外で、最も光量が不足している他の部分を見つけ出す処理に移行する。
【００７８】
一つのライン情報ついて下げ幅調整処理あるいは上げ幅調整処理を完了すると、調光量演算部２４３は、表示対象画像から生成した全てのライン情報について処理を完了したかどうかを判定する。判定の結果、全てのライン情報について処理が完了していない場合には、残りのライン情報について上述した下げ幅調整処理あるいは上げ幅調整処理を実行する。
【００７９】
一方、判定の結果、全てのライン情報について処理が完了している場合には、調光量演算部２４３は、各光源２２０の発光強度を調整する。調光量演算部２４３は、上述した下げ幅調整処理あるいは上げ幅調整処理にて光源２２０ごとに仮決定した発光強度を最終的な発光強度に決定する。そして、調光量演算部２４３は、調整対象となる光源２２０の発光強度を調整するように、発光強度制御部２４４に調整指示を出力する。
【００８０】
例えば、調光量演算部２４３は、光源２２０ａの発光強度を−１９％に仮決定されている場合には、光源２２０ａの発光強度を−１９％に最終決定する。そして、調光量演算部２４３は、発光強度調光量演算部２４３は、光源２２０ａの発光強度を−１９％に調整するように、発光強度制御部２４４に調整指示を出力する。
【００８１】
また、調光量演算部２４３は、光源２２０の発光強度の調整に合わせて、表示対象画像の画素値の補正を行うように画像補正部２４５に補正指示を出力する。
【００８２】
なお、輝度ムラ等が生じることを防止するため、隣接する光源２２０の発光強度の上げ幅の差が所定量以下になるように調整することとしてもよい。
【００８３】
発光強度制御部２４４は、調光量演算部２４３による調整結果に応じた発光強度で光源２２０を発光させるように調整する。例えば、発光強度制御部２４４は、調光量演算部２４３から発光強度の調整指示があると、下げ幅調整処理による下げ幅または上げ幅調整処理による上げ幅に応じた制御量を各ドライバ２３０へ出力する。
【００８４】
画像補正部２４５は、調光量演算部２４３による調整の結果、光制御部２１０の各画素に供給される光量が変化する割合に基づいて、入力画像の各画素を補正する。例えば、画像補正部２４５は、以下に示す式（３）を用いて、画像を補正する。
補正後の画素値＝補正前の画素値×（１／Ｗ）＾（１／２．２）・・・（３）
なお、式（３）に示す変数Ｗは、上述した式（２）の変数Ｗと同一である。
【００８５】
透過率制御部２４６は、画像補正部２４５によって補正された入力画像の各画素に基づいて、光制御部２１０の各画素の透過率を制御する。
【００８６】
図１０〜図１２は、実施例２に係る表示装置による処理の流れを示す図である。まず、図１０を用いて、表示装置による処理全体の流れを説明する。
【００８７】
［処理全体の流れ］
図１０に示すように、調光量演算部２４３は、表示対象画像を入力すると（ステップＳ１００１肯定）、各光源２２０の発光強度の初期値を設定する（ステップＳ１００２）。続いて、調光量演算部２４３は、縮小画像生成部２４２により生成された縮小画像を複数の領域に分割し、分割された各領域についてからライン情報を生成する（ステップＳ１００３）。
【００８８】
調光量演算部２４３は、生成したライン情報の中からライン情報を一つ選択する（ステップＳ１００４）。なお、調光量演算部２４３は、最初の処理では、縮小画像の各領域の中から、光源２２０に最も近い一番下の領域４０ａ（図５参照）についてのライン情報を選択することとなる。
【００８９】
ライン情報の選択後、調光量演算部２４３は、選択したライン情報が有する各画素の画素値を輝度相当値に換算する（ステップＳ１００５）。なお、換算には数式（１）を利用する。そして、調光量演算部２４３は、照度計測部２６０から入力した照度に応じて補正輝度相当値を算出する（ステップＳ１００６）。なお、算出には上述の式（２）が利用される。なお、周囲の照度によらずとも、表示装置１の閲覧者から受付ける、表示画像の輝度を落とす要求に基づいて、調光量演算部２４３は、補正輝度相当値を補正するとしても良い。例えば、閲覧者が表示装置に設けられた省エネモードなどのボタンを押下したことを検知し、調光量演算部２４３は、補正輝度相当値を算出する。その場合には、照度計測部２６０閲覧者から「何％暗くする」旨の輝度低減情報を含む要求を受付ける。そして、調光量演算部２４３は、要求に含まれる輝度低減情報を、輝度相当値に乗算することで補正輝度相当値を算出する。
【００９０】
補正輝度相当値を算出した後、調光量演算部２４３は、ライン情報の補正輝度相当値を光源２２０の配列方向に走査して輝度分布パターンを算出する（ステップＳ１００７）。輝度分布パターンの算出後、調光量演算部２４３は、記憶部２５０に記憶されている各発光パターンデータ２５０ａを取り込み、ライン情報のサイズに合わせた合成発光パターンを算出する（ステップＳ１００８）。
【００９１】
そして、調光量演算部２４３は、ライン情報に基づく輝度分布パターンと、ライン情報相当の合成発光パターンとを比較して、合成発光パターンが輝度分布パターンを上回っているか否かを判定する（ステップＳ１００９）。すなわち、画像を表示するための光量が充足しているか否かを判定する。
【００９２】
判定の結果、合成発光パターンが輝度分布パターンを上回っている場合には（ステップＳ１００９肯定）、調光量演算部２４３は、一番下の（縮小画像内で、光源２２０に最も近い一番下の領域４０ａ（図５参照）についての）ライン情報であるか否かを判定する（ステップＳ１０１０）。判定の結果、一番下のライン情報である場合には（ステップＳ１０１０肯定）、調光量演算部２４３は、下げ幅調整処理を実行する（ステップＳ１０１１）。なお、下げ幅調整処理については、後に、図１１を用いて説明する。
【００９３】
ここで、ステップＳ１００９の説明に戻る。判定の結果、合成発光パターンが輝度分布パターンを上回っていない場合には（ステップＳ１００９否定）、調光量演算部２４３は、上げ幅調整処理を実行する（ステップＳ１０１２）。なお、上げ幅調整処理については、後に、図１２を用いて説明する。
【００９４】
下げ幅調整処理あるいは上げ幅調整処理の実行後、調光量演算部２４３は、全ライン情報について処理を完了しているか否かを判定する（ステップＳ１０１３）。判定の結果、全ライン情報について処理を完了していない場合には（ステップＳ１０１３否定）、上述したステップＳ１００４に戻って、ステップＳ１００４〜ステップＳ１０１２までの処理を実行する。
【００９５】
一方、判定の結果、全ライン情報について処理を完了している場合には（ステップＳ１０１３肯定）、調光量演算部２４３は、下げ幅調整処理あるいは上げ幅調整処理の処理結果に応じた発光強度となるように、調整指示を発光強度制御部２４４に出力する。また、調光量演算部２４３は、表示対象画像の画素値の調整を行うように、補正指示を画像補正部２４５に出力する。
【００９６】
発光強度制御部２４４は、調光量演算部２４３から発光強度の調整指示があると、調光量演算部２４３による調整結果に応じた発光強度で光源２２０を発光させるように調整する（ステップＳ１０１４）。画像補正部２４５は、調光量演算部２４３から画素値の補正指示があると、発光強度の調整によって光制御部２１０に供給される光量の変化に応じて、表示対象画像の各画素値を補正する（ステップＳ１０１５）。
【００９７】
なお、ステップＳ１０１０の説明に戻ると、判定の結果、一番下のライン情報でない場合には（ステップＳ１０１０否定）、調光量演算部２４３は、上述したステップＳ１０１３の処理に移行する。
【００９８】
次に、図１１を用いて、図１０に示す下げ幅調整処理の流れを説明する。図１１に示すように、全て（例えば、１２個）の光源２２０を選択対象として設定する（ステップＳ１１０１）。そして、調光量演算部２４３は、選択対象となっている光源２２０の一つを選択する（ステップＳ１１０２）。
【００９９】
光源２２０の選択後、調光量演算部２４３は、選択した光源２２０について、光量不足が生じない範囲で発光強度を下げることが可能な最大の下げ幅を算出する（ステップＳ１１０３）。
【０１００】
調光量演算部２４３は、下げ幅の算出結果から、選択した光源２２０発光強度を下げる調整が可能であるか否かを判定する（ステップＳ１１０４）。判定の結果、発光強度を下げる調整が可能である場合は（ステップＳ１１０４肯定）、調光量演算部２４３は、調光量演算部２４３は、算出した最大の下げ幅に応じて、調整対象の光源２２０の発光強度を下げたときの合成発光パターンを改めて算出する（ステップＳ１１０５）。
【０１０１】
そして、調光量演算部２４３は、改めて算出した合成発光パターンと輝度分布パターンとを比較し、光量不足が生じない範囲で、他の光源２２０の発光強度を下げることができる量の合計を余裕度として算出する（ステップＳ１１０６）。選択した光源２２０について余裕度の算出を終えると、調光量演算部２４３は、選択対象として設定した光源２２０の中から未選択の光源２２０が存在するか否かを検索する（ステップＳ１１０７）。そして、調光量演算部２４３は、検索結果から未選択の光源２２０として該当があるか否かを判定する（ステップＳ１１０８）。判定の結果、未選択の光源２２０として該当がある場合には（ステップＳ１１０８肯定）、調光量演算部２４３は、未選択の光源２２０の中から一つ選択して、上述したステップＳ１１０３に戻り、ステップＳ１１０３〜ステップＳ１１０８までの処理を実行する。
【０１０２】
ステップＳ１１０４の説明に戻る。判定の結果、発光強度を下げる調整が可能でない場合は（ステップＳ１１０４否定）、調光量演算部２４３は、上述したステップＳ１１０７の処理に移行する。
【０１０３】
ステップＳ１１０８の説明に戻る。検索の結果、未選択の光源２２０として該当がない場合には（ステップＳ１１０８否定）、調光量演算部２４３は、上述したステップＳ１１０４の処理において、発光強度を下げる調整が可能な光源２２０があったかを判定する（ステップＳ１１０９）。判定の結果、発光強度を下げる調整が可能な光源２２０がなかった場合には（ステップＳ１１０９否定）、調光量演算部２４３は下げ幅調整処理を終了する。そして、調光量演算部２４３は、図１０に示すステップＳ１０１３の処理に移行する。
【０１０４】
一方、判定の結果、発光強度を下げる調整が可能な光源２２０があった場合には（ステップＳ１１０９肯定）、調光量演算部２４３は、次の処理を実行する。調光量演算部２４３は、発光強度を下げる調整が可能な光源２２０の中で、算出された余裕度が最大の光源２２０を発光強度の調整対象として選択する（ステップＳ１１１０）。そして、調光量演算部２４３は、算出済みの下げ幅に応じて、調整対象として選択した光源２２０の発光強度を仮決定する（ステップＳ１１１１）。
【０１０５】
発光強度の調整指示を出力後、調光量演算部２４３は、発光強度の調整を行った光源２２０を選択対象外に設定する（ステップＳ１１１２）。そして、調光量演算部２４３は、選択対象外に設定されていない、つまり選択対象である光源２２０が残されているか検索する（ステップＳ１１１３）。検索の結果、選択対象の光源２２０が残されている場合には（ステップＳ１１１３肯定）、上述したステップＳ１１０２に戻り、ステップＳ１１０２〜ステップＳ１１１２までの処理を実行する。一方、検索の結果、選択対象の光源２２０がのこされていない場合には（ステップＳ１１１３否定）、調光量演算部２４３は、下げ幅調整処理を終了する。そして、調光量演算部２４３は、上述した図１０に示すステップＳ１０１３の処理に移行する。
【０１０６】
続いて、図１２を用いて、図１０に示す上げ幅調整処理の流れを説明する。図１２に示すように、調光量演算部２４３は、合成発光パターンと輝度分布パターンとの比較の結果、光量が最も不足している部分を抽出する。そして、調光量演算部２４３は、抽出した部分に最も近い光源２２０を調整対象の光源として選択する（ステップＳ１２０１）。
【０１０７】
調光量演算部２４３は、例えば、図１３に示すように、調整目標として選択された領域を光源２２０の数だけの領域に分割しておけば、光量が不足している部分に最も近い光源２２０の選択を容易に行うことができる。図１３は、最も光量が不足している部分に最も近い光源選択を行うための領域分割の一例を示す図である。
【０１０８】
調光量演算部２４３は、調整対象として選択された光源２２０の発光強度を所定の強度に仮決定する（ステップＳ１２０２）。そして、調光量演算部２４３は、選択した光源２２０の発光強度を所定の強度に仮決定した場合の合成発光パターンを改めて算出する（ステップＳ１２０３）。
【０１０９】
合成発光パターンを改めて算出した後、調光量演算部２４３は、改めて算出した合成発光パターンと輝度分布パターンとを比較して、該当部分の光量不足が解消したかを判定する（ステップＳ１２０４）。判定の結果、光量不足が解消していない場合には（ステップＳ１２０４否定）、調光量演算部２４３は、発光強度を高める量が制限値に到達しているか否かを判定する（ステップＳ１２０５）。判定の結果、発光強度を高める量が制限値に到達していない場合には（ステップＳ１２０５否定）、調光量演算部２４３は、上述したステップＳ１２０２に戻り、調整対象として選択された光源２２０の発光強度をさらに高めた発光強度を仮決定する。そして、調光量演算部２４３は、上述したステップＳ１２０３およびＳ１２０４の処理を実行する。
【０１１０】
ステップＳ１２０５の説明に戻る。判定の結果、発光強度を高める量が制限値に到達している場合には（ステップＳ１２０５肯定）、調光量演算部２４３は、次のステップＳ１２０６の処理を行う。すなわち、調光量演算部２４３は、調整対象として選択された光源２２０に隣接する光源２２０を新たな調整対象として選択可能であるかどうか（未選択であるかどうか）を判定する（ステップＳ１２０６）。判定の結果、調整対象として選択された光源２２０に隣接する光源２２０を新たな調整対象として選択可能である場合には（ステップＳ１２０６肯定）、調光量演算部２４３は、新たに調整対象とする光源２２０を選択する。そして、調光量演算部２４３は、上述したステップＳ１２０２に戻り、調整対象として新たに選択した光源２２０の発光強度を所定の強度に仮決定した後、上述したステップＳ１２０３およびＳ１２０４の処理を実行する。
【０１１１】
ステップＳ１２０６の説明に戻る。判定の結果、調整対象として選択された光源２２０に隣接する光源２２０を新たな調整対象として選択可能でない場合には（ステップＳ１２０６否定）、調光量演算部２４３は、次のように処理する。調光量演算部２４３は、合成発光パターンと輝度分布パターンとの比較の結果、上述したステップＳ１２０１にて最初に選択した部分以外で、最も光量が不足している他の部分の抽出を試みる（ステップＳ１２０７）。その結果、他の部分の抽出ができなかった場合には（ステップＳ１２０７否定）、調光量演算部２４３は、上げ幅調整処理を終了する。
【０１１２】
一方、最も光量が不足している他の部分の抽出を試みた結果、他の部分の抽出ができた場合には（ステップＳ１２０７肯定）、調光量演算部２４３は、抽出した他の部分に最も近い光源２２０およびこの光源２２０に隣接する光源２２０の中に、発光強度を調整可能な光源２２０があるか否かを判定する（ステップＳ１２０８）。
【０１１３】
判定の結果、発光強度を調整可能な光源２２０がある場合には（ステップＳ１２０８肯定）、調光量演算部２４３は、上述したステップＳ１２０１に戻り、調整対象とする光源２２０を選択する。そして、調光量演算部２４３は、上述してきたステップＳ１２０２〜Ｓ１２０７の処理を実行する。一方、判定の結果、発光強度を調整可能な光源２２０がない場合には（ステップＳ１２０８否定）、調光量演算部２４３は、上げ幅調整処理を終了する。
【０１１４】
ステップＳ１２０４の説明に戻る。判定の結果、光量不足が解消している場合には（ステップＳ１２０４肯定）、調光量演算部２４３は、上述したステップＳ１２０７の処理に移行する。
【０１１５】
上げ幅調整処理の終了後、調光量演算部２４３は、上述した図１０に示すステップＳ１０１３の処理に移行する。
【０１１６】
また、図１１に示す下げ幅調整処理および図１２に示す上げ幅調整処理を終了すると、調光量演算部２４３は、調整対象となる光源２２０の発光強度を調整するように、発光強度制御部２４４に調整指示を出力する。また、調光量演算部２４３は、光源２２０の発光強度の調整に合わせて、表示対象画像の画素値の補正を行うように画像補正部２４５に補正指示を出力する。
【０１１７】
［実施例２による効果］
上述してきたように、実施例２によれば、表示装置２００は、周囲の照度に応じて、表示対象画像の要求輝度が低くなるように補正する。この補正によって、表示装置２００は、表示対象画像の輝度分布パターンと光源２２０の合成発光パターンとの間隔を広げる。このようなことから、表示対象画像を表示可能な範囲ですべての光源２２０の発光強度を最大限に下げる調整を行うことができ、輝度分布パターンと合成発光パターンとの間隔を広げないで行う調整よりも余裕のある調整が可能となる。さらに、表示装置２００は、照射領域が重複する複数の光源を有している。つまり、表示装置２００において、画像表示領域３上の１つの画素は複数の光源から照射される。よって、複数の光源の照射された光を利用しながら１つの画素の輝度をまかなうので、各光源から発光された光が効率的に利用される。つまり、いったん設けられた余裕によって生じる消費電力の削減についても、本実施例において発光強度を減じることができる光源は、従来の１つから２以上の光源へと拡大する。したがって、実施例２の表示装置２００はより大きな消費電力の削減を達成できる。
【０１１８】
また、実施例２によれば、表示装置２００は、周囲の照度に応じて設定した変数Ｗを用いて、表示対象画像が有する画素値から補正輝度相当値を算出する。このようなことから、表示対象画像の画素値を周囲の照度に応じて適切に補正できる。
【０１１９】
また、実施例２によれば、表示装置２００は、表示対象画像が有する最大画素値を用いて、表示対象画像が有する画素値から換算した輝度相当値を算出する。そして、輝度相当値を補正輝度相当値に補正する。このようなことから、表示対象画像の輝度相当値を適切に補正できる。
【０１２０】
また、実施例２では、周囲の照度に応じて、光源２２０の発光強度を調整する場合を説明したが、これに限定されるものではない。例えば、省エネモードなどをユーザが設定し、このモード設定に応じて、光源２２０の発光強度を減じるように調整するようにしてもよい。これにより、ユーザの要求に応じて、光源の発光による消費電力をより削減できる。
【０１２１】
なお、実施例２では、周囲の照度に応じて、表示対象画像の縮小画像内から算出した各ライン情報について、ライン情報の輝度相当値を変数Ｗにより一律に補正したが、これに限定されるものではない。例えば、表示対象画像の画素値の分布から、明るい領域ほど輝度相当値を減じるように変数Ｗの値を変更するようにしてもよい。
【実施例３】
【０１２２】
（１）合成発光パターンの補正
上述した実施例２では、表示対象画像の輝度相当値を補正することにより、表示対象画像の輝度分布パターンと光源２２０による合成発光パターンとの間隔を広げ、光源２２０の発光強度を調整する場合を説明した。しかしながら、これに限定されるものではなく、光源２２０による合成発光パターンを仮想的に上昇させる補正を行うことにより、表示対象画像の輝度分布パターンと光源２２０による合成発光パターンとの間隔を広げるようにしてもよい。
【０１２３】
例えば、表示装置２００は、周囲の照度に応じて変数Ｗ＝０．８を設定する。そして、表示装置２００は、光源２２０の発光可能量を１００％／Ｗとして、各光源２２０が１２５％の強度で発光できるものと仮定する。つまり、仮想的な最大発光強度設定することにより、表示画像の輝度分布と仮想的な最大強度で発光した場合の光源の合成発光分布との差を広げる。
【０１２４】
表示装置２００は、各光源２２０が１２５％の仮想的な最大強度で発光できるという仮定の下に、上述した実施例２と同様の処理（図１０参照）を実行する。例えば、各光源２２０が１２５％の強度で発光できる場合の合成発光パターンを求める。表示装置２００は、上述した実施例２と同様に、合成発光パターンと輝度分布パターンとを比較して、下げ幅調整処理（図１１参照）および上げ幅調整処理（図１２参照）を実行する。なお、各光源２２０が１２５％の強度で発光できるという仮定下での処理であるので、ある光源２２０の発光強度の調整結果が、ある光源２２０は「１２０％での発光」と仮に設定される場合もあり得る。
【０１２５】
下げ幅調整処理（図１１参照）および上げ幅調整処理（図１２参照）を実行した後、表示装置２００は、各々の光源２２０に設定された発光強度にＷ＝０．８を乗算することにより、各光源２２０の発光強度を実際の値に補正する。つまり、設定された発光強度にＷを乗算することで、各光源の最大発光強度は１００％となる。そして、発光強度制御部２４４は、補正された発光強度で各々の光源が発光するように制御する。
【０１２６】
上述したように、光源２２０による合成発光パターンを仮想的に上昇させる補正を行うことにより、表示対象画像の輝度分布パターンと光源２２０による合成発光パターンとの間隔を広げることができる。つまり、各光源の最大発光強度を仮想的な最大強度まで引き上げることができる。よって、ある光源が仮想的な発光強度で発光すると仮設定されると、ある画素を照射するその他の光源は、ある光源から供給される仮想的な光を利用することができる。つまり、その他の光源の発光強度が多少小さい場合でも、ある光源からの光によって、ある画素が要求する輝度をまかなうことができる。したがって、最終的にＷを乗算した場合に、消費電力をより大きく削減することができる。つまり、上述した実施例２と同様の効果を得ることができる。
【０１２７】
（２）装置構成
図３に示す表示装置２００の各構成要素は機能概念的なものであり、必ずしも物理的に図示の如く構成されていることを要しない。すなわち、表示装置２００の分散・統合の具体的形態は図示のものに限られず、例えば、縮小画像生成部２４２と調光量演算部２４３と発光強度制御部２４４とを機能的または物理的に統合してもよい。また、調光量演算部２４３を機能的に分散してもよい。例えば、図１０に示す処理全体の流れを制御する機能部と、図１１に示す下げ幅調整処理を実行する機能部と、図１２に示す上げ幅算出処理を実行する機能部とに分散してもよい。このように、表示装置２００の全部または一部を、各種の負荷や使用状況などに応じて、任意の単位で機能的または物理的に分散・統合して構成することができる。
【０１２８】
（３）表示装置２００による処理をコンピュータに実行させるプログラム
また、上述の実施例で説明した表示装置２００の各種の処理（例えば、図１０〜図１２参照）は、あらかじめ用意されたプログラムをパーソナルコンピュータやワークステーションなどのコンピュータシステムで実行することによって実現することもできる。
【０１２９】
そこで、以下では、図１４を用いて、上述の実施例２で説明した表示装置２００による処理と同様の機能を実現する表示制御プログラムを実行するコンピュータの一例を説明する。図１４は、表示制御プログラムを実行するコンピュータの一例を示す図である。
【０１３０】
図１４に示すように、表示装置２００として機能するコンピュータ３００は、各種演算処理を実行するＣＰＵ（Central  Processing  Unit）３１０と、ユーザからのデータの入力を受け付ける入力装置３２０と、光制御部２１０を含むモニタ３３０を有する。
【０１３１】
また、コンピュータ３００は、図１４に示すように、記憶媒体からプログラム等を読取る媒体読取り装置３４０と、ネットワークを介して他のコンピュータとの間でデータの授受を行うネットワークインターフェース装置３５０と、各種情報を一時記憶するＲＡＭ（Random  Access  Memory）３６０と、ハードディスク装置３７０を有する。そして、各装置３１０〜３７０は、バス３８０に接続される。
【０１３２】
ハードディスク装置３７０には、上述した表示装置２００の機能と同様の機能を発揮する表示制御プログラム３７１および表示制御用データ３７２が記憶されている。なお、この表示制御プログラム３７１を適宜分散させて、ネットワークを介して通信可能に接続された他のコンピュータの記憶部に記憶させておくこともできる。
【０１３３】
そして、ＣＰＵ３１０が、表示制御プログラム３７１をハードディスク装置３７０から読み出してＲＡＭ３６０に展開することにより、図１４に示すように、表示制御プログラム３７１は表示制御プロセス３６１として機能する。表示制御プロセス３６１は、表示制御用データ３７２から読み出した情報等を適宜ＲＡＭ３６０上の自身に割当てられた領域に展開し、この展開した各種データに基づいて各種処理を実行する。
【０１３４】
なお、表示制御プロセス３６１は、例えば、図３に示した縮小画像生成部２４２、調光量演算部２４３、発光強度制御部２４４および画像補正部２４５において実行される処理に対応する。
【０１３５】
なお、表示制御プログラム３７１については、必ずしも最初からハードディスク装置３７０に記憶させておく必要はない。例えば、コンピュータ３００に挿入されるフレキシブルディスク（ＦＤ）、ＣＤ−ＲＯＭ、ＤＶＤディスク、光磁気ディスク、ＩＣカードなどの「可搬用の物理媒体」に各プログラムを記憶させておく。そして、コンピュータ３００がこれらから各プログラムを読み出して実行するようにしてもよい。
【０１３６】
さらには、公衆回線、インターネット、ＬＡＮ、ＷＡＮなどを介してコンピュータ３００に接続される「他のコンピュータ（またはサーバ）」などに各プログラムを記憶させておく。そして、コンピュータ３００がこれらから各プログラムを読み出して実行するようにしてもよい。
【０１３７】
以上の実施例を含む実施形態に関し、さらに以下の付記を開示する。
【０１３８】
（付記１）画素を複数の光源で照射する表示装置において、
表示対象画像を表示する画像表示領域と、
周囲環境の照度を取得する取得部と、
前記取得部が取得した結果に基づいて、前記表示対象画像の輝度を低下させた補正輝度を算出する算出部と、
前記補正輝度に基づいて、前記複数の光源それぞれの発光量を制御する制御部と
を有することを特徴とする表示装置。
【０１３９】
（付記２）前記取得部は、前記照度に変えて、前記発光量の減量を命じる命令を取得することを特徴とする付記１記載の表示装置。
【０１４０】
（付記３）前記算出部は、
前記取得部が取得した前記結果に基づいて、前記低下させる量である調節量を算出するとともに、該調節量に基づいて前記補正輝度を算出することを特徴とする付記１または付記２記載の表示装置。
【０１４１】
（付記４）前記算出部は、
前記表示対象画像における最大輝度に基づいて、前記低下させる量である調整量を算出するとともに、該調節量に基づいて前記補正輝度を算出することを特徴とする付記１または付記２記載の表示装置。
【０１４２】
（付記５）画素を複数の光源で照射する表示装置が行う表示制御方法であって、
周囲環境の照度を取得する取得ステップと、
前記取得ステップが取得した結果に基づいて、画像表示領域に表示される表示対象画像の輝度を低下させた補正輝度を算出する算出ステップと、
前記補正輝度に基づいて、前記複数の光源それぞれの発光量を制御する制御ステップと
を含んだことを特徴とする表示制御方法。
【０１４３】
（付記６）光の照射範囲が重複する複数の光源で画素を照射する表示装置において、
表示対象画像を表示する画像表示領域と、
周囲環境の照度を取得する取得部と、
前記複数の光源を所定の発光強度にて発光させたときの発光分布を、前記取得部が取得した結果に基づいて補正した補正分布を算出する算出部と、
前記補正分布に基づいて、前記複数の光源それぞれの発光量を制御する制御部と
を有することを特徴とする表示装置。
【符号の説明】
【０１４４】
１  表示装置
２  光源
３  画像表示領域
４  補正部
５  制御部
２００  表示装置
２１０  光制御部
２２０ａ，２２０ｂ，２２０ｎ  光源
２３０ａ，２２０ｂ，２２０ｎ  ドライバ
２４０  表示制御装置
２４１  フレームメモリ
２４２  縮小画像生成部
２４３  調光量演算部
２４４  発光強度制御部
２４５  画像補正部
２４６  透過率制御部
２５０  記憶部
２５０ａ  発光パターンデータ
３００  コンピュータ
３１０  ＣＰＵ
３２０  入力装置
３３０  モニタ
３４０  媒体読取り装置
３５０  ネットワークインターフェース装置
３６０  ＲＡＭ
３６１  表示制御プロセス
３７０  ハードディスク装置
３７１  表示制御プログラム
３７２  表示制御用データ
【図１】
2011117996.tif 000003
【図２】
2011117996.tif 000004
【図３】
2011117996.tif 000005
【図４】
2011117996.tif 000006
【図５】
2011117996.tif 000007
【図６】
2011117996.tif 000008
【図７】
2011117996.tif 000009
【図８】
2011117996.tif 000010
【図９】
2011117996.tif 000011
【図１０】
2011117996.tif 000012
【図１１】
2011117996.tif 000013
【図１２】
2011117996.tif 000014
【図１３】
2011117996.tif 000015
【図１４】
2011117996.tif 000016